(57)【要約】      （修正有）【課題】分解状態時に最小の体積を保持し、使用者の運搬に便利で、しかも迅速に組み立てることができる組合せ式ケース構造を提供する。【解決手段】組合せ式ケース構造は２枚の第一板体１、２枚の第二板体、４本のサポート柱３、４枚の側面板体４により組成する。該２枚の第一板体１は向かい合って設置し、しかも該各第一板体１と別の第一板体１の隣接する側には少なくとも３個の第一連接部を設置する。該少なくとも３本のサポート柱は該２枚の第一板体１の間をそれぞれ取り囲み、該２枚の第一板体１と垂直を呈し、しかも該各サポート柱３両端にはそれぞれ第一連接板３１を設置し、該各第一板体３１上の第一連接部に対応する。該少なくとも３枚の側面板体４は該隣接する２本のサポート柱３間にそれぞれ設置する。上記構造により該各サポート柱３は該２枚の第一板体１とそれぞれ接続し、ケースのサポート骨格を形成する。【選択図】図１
0003143434.tif 000002
【実用新案登録請求の範囲】
【請求項１】
向かい合って設置し、しかも各第一板体と別の第一板体の隣接する側には少なくとも３個の第一連接部を設置する２枚の第一板体と、
該２枚の第一板体の間をそれぞれ取り囲み、該２枚の第一板体と垂直を呈し、しかも各サポート柱両端にはそれぞれ第一連接板を設置し、該各第一板体上の第一連接部に対応する少なくとも３本のサポート柱と、
前記隣接する２本のサポート柱間にそれぞれ設置する少なくとも３枚の側面板体と、を含むことを特徴とする組合せ式ケース構造。
【請求項２】
請求項１記載の組合せ式ケース構造において、前記サポート柱はそれが隣接するサポート柱に対応し定位スライド槽を設置し、しかも前記側面板体両側端はそれぞれ２個の定位スライド槽にスライド対応し嵌入することを特徴とする組合せ式ケース構造。
【請求項３】
請求項２記載の組合せ式ケース構造において、前記定位スライド槽は前記第一板体と垂直を呈することを特徴とする組合せ式ケース構造。
【請求項４】
請求項３記載の組合せ式ケース構造において、前記サポート柱には２個の定位スライド槽を設置し、しかも前記２個の定位スライド槽の延伸線は相互に交差することを特徴とする組合せ式ケース構造。
【請求項５】
請求項４記載の組合せ式ケース構造において、前記２個の定位スライド槽の延伸線は相互に垂直を呈することを特徴とする組合せ式ケース構造。
【請求項６】
請求項１記載の組合せ式ケース構造において、前記２枚の第一板体の間には４本のサポート柱を設置し、しかも任意の３本のサポート柱はちょうど直角三角形の頂点を取り囲み形成することを特徴とする組合せ式ケース構造。
【請求項７】
請求項１記載の組合せ式ケース構造において、前記サポート柱表面には若干の滑り止め模様を設置することを特徴とする組合せ式ケース構造。
【請求項８】
請求項１記載の組合せ式ケース構造において、前記第一連接部は前記第一板体上に少なくとも１個の第一穿孔を開設し、前記第一連接板上は前記第一穿孔に対応し少なくとも１個の第二穿孔を開設することを特徴とする組合せ式ケース構造。
【請求項９】
請求項１記載の組合せ式ケース構造において、前記第一連接板は前記サポート柱と垂直を呈することを特徴とする組合せ式ケース構造。
【請求項１０】
請求項１記載の組合せ式ケース構造において、前記組合せ式ケース構造はさらに少なくとも１枚の第二板体を設置し、前記２枚の第一板体の間に位置し、前記第二板体上には少なくとも３個の第二連接部を設置し、しかも前記各サポート柱は少なくとも１個の第二連接板をそれぞれ対応し設置し、前期第二板体の第二連接部に対応することを特徴とする組合せ式ケース構造。
【考案の詳細な説明】
【技術分野】
【０００１】
本考案は組合せ式ケース構造に関する。特に完全分解し柱状及び板状部品とすることができるため、極めて小さな体積で運搬及び倉庫保管作業を行うことができ、並びに使用者は迅速かつ便利に組み立て、ケースを形成可能で、コンピュータCPU及び関連パーツを装置することができる組合せ式ケース構造に係る。
【背景技術】
【０００２】
公知のコンピュータケースはコンピュータCPU及び関連パーツを装置するために用い、コンピュータCPU及び関連パーツをコンピュータケースの適当な位置内に固定するものである。コンピュータCPUが作動時に、外力を受け破損することのないよう保護するため、コンピュータケースは全体的に堅固な密封体に設計する必要がある。
【０００３】
上記理由により、一般のコンピュータケースは主に一体成型の骨格により、内部にコンピュータCPU及び関連パーツを設置するに足る立方主体を構成し、該立方主体の各面はそれぞれ蓋板で蓋合する。
このようなコンピュータケースの構造は、その骨格が一体成型により構成されるため、蓋板との分解がスムーズに行かず、体積を縮小することができない。よって出荷から店頭に並び消費者に購入されるまで、その後には運搬され装置されるまで、非常に長い運送の期間において、それが占める空間は過大で、物流コスト低下を妨げる要因となっており、原油高が続く昨今では、さらに重大な問題である。
さらに、倉庫保管時には、その全体的体積は限られた倉庫空間を占拠し、メーカーの倉庫コストの増大を招く。さらには消費者が購入後の運搬も非常に不便である。
【考案の開示】
【考案が解決しようとする課題】
【０００４】
本考案の主な目的は柱状及び板状部品パーツにより構成し、極めて小さく、空間占拠の恐れのない体積により運搬、倉庫保管作業を行うことができ、並びに使用者は迅速かつ便利に組み立て、完全なケース構造を形成可能である組合せ式ケース構造を提供することである。
【０００５】
上記の目的を達成するため、本考案は２枚の第一板体、２枚の第二板体、４本のサポート柱、４枚の側面板体により組成し、
該２枚の第一板体は向かい合って設置し、しかも該各第一板体と別の第一板体の隣接する側には少なくとも３個の第一連接部を設置し、
該少なくとも３本のサポート柱は該２枚の第一板体の間をそれぞれ取り囲み、該２枚の第一板体と垂直を呈し、しかも該各サポート柱両端にはそれぞれ第一連接板を設置し、該各第一板体上の第一連接部に対応し、
該少なくとも３枚の側面板体は該隣接する２本のサポート柱間にそれぞれ設置する。
【０００６】
上記構造により該各第一板体、該各サポート柱、該各側面板体はそれぞれ柱状パーツ或いは板状パーツで、すなわち立方体ケース構造の最小組成ユニットであり、運搬、収納の便のため、組み立て時には該各サポート柱により該２枚の第一板体をそれぞれ接続し、ケースのサポート骨格を形成し、該側面板体嵌設を固定し、完全なケース構造を形成する。
【課題を解決するための手段】
【０００７】
請求項１の考案は、向かい合って設置し、しかも各第一板体と別の第一板体の隣接する側には少なくとも３個の第一連接部を設置する２枚の第一板体と、
該２枚の第一板体の間をそれぞれ取り囲み、該２枚の第一板体と垂直を呈し、しかも各サポート柱両端にはそれぞれ第一連接板を設置し、該各第一板体上の第一連接部に対応する少なくとも３本のサポート柱と、
前記隣接する２本のサポート柱間にそれぞれ設置する少なくとも３枚の側面板体と、を含むことを特徴とする組合せ式ケース構造としている。
請求項２の考案は、請求項１記載の組合せ式ケース構造において、前記サポート柱はそれが隣接するサポート柱に対応し定位スライド槽を設置し、しかも前記側面板体両側端はそれぞれ２個の定位スライド槽にスライド対応し嵌入することを特徴とする組合せ式ケース構造としている。
請求項３の考案は、請求項２記載の組合せ式ケース構造において、前記定位スライド槽は前記第一板体と垂直を呈することを特徴とする組合せ式ケース構造としている。
請求項４の考案は、請求項３記載の組合せ式ケース構造において、前記サポート柱には２個の定位スライド槽を設置し、しかも前記２個の定位スライド槽の延伸線は相互に交差することを特徴とする組合せ式ケース構造としている。
請求項５の考案は、請求項４記載の組合せ式ケース構造において、前記２個の定位スライド槽の延伸線は相互に垂直を呈することを特徴とする組合せ式ケース構造としている。
請求項６の考案は、請求項１記載の組合せ式ケース構造において、前記２枚の第一板体の間には４本のサポート柱を設置し、しかも任意の３本のサポート柱はちょうど直角三角形の頂点を取り囲み形成することを特徴とする組合せ式ケース構造としている。
請求項７の考案は、請求項１記載の組合せ式ケース構造において、前記サポート柱表面には若干の滑り止め模様を設置することを特徴とする組合せ式ケース構造としている。
請求項８の考案は、請求項１記載の組合せ式ケース構造において、前記第一連接部は前記第一板体上に少なくとも１個の第一穿孔を開設し、前記第一連接板上は前記第一穿孔に対応し少なくとも１個の第二穿孔を開設することを特徴とする組合せ式ケース構造としている。
請求項９の考案は、請求項１記載の組合せ式ケース構造において、前記第一連接板は前記サポート柱と垂直を呈することを特徴とする組合せ式ケース構造としている。
請求項１０の考案は、請求項１記載の組合せ式ケース構造において、前記組合せ式ケース構造はさらに少なくとも１枚の第二板体を設置し、前記２枚の第一板体の間に位置し、前記第二板体上には少なくとも３個の第二連接部を設置し、しかも前記各サポート柱は少なくとも１個の第二連接板をそれぞれ対応し設置し、前期第二板体の第二連接部に対応することを特徴とする組合せ式ケース構造としている。
【考案の効果】
【０００８】
本考案の構造は空間占拠が極めて小さい体積で運搬と倉庫保管作業を行うことができ、しかも使用者の組み立て及び分解の利便性が高いという目的を確実に達成することができる。
【考案を実施するための最良の形態】
【０００９】
図１、２、３、４に示すように、本考案は水平のケース構造で、２枚の第一板体１、２枚の第二板体２、４本のサポート柱３、４枚の側面板体４により組成する。
該２枚の第一板体１は上下に向かい合って設置し、該各第一板体１は別の第一板体１と隣接する側にそれぞれ４個の第一連接部１１を設置する。該第一連接部１１は該第一板体１上に２個の第一穿孔１１１を開設し、該各板体の各第一連接部１１はちょうど相対設置される。
該第二板体２は該２枚の第一板体１の間に設置し、これにより該２枚の第一板体１は間隔を開け２個の空間を形成する。該第二板体２上には２個の第二連接部２１を設置し、該第二連接部２１は該第二板体２上に２個の第一通孔２１１を開設する。
【００１０】
該４本のサポート柱３は該２枚の第一板体１の間を取り囲み設置し、該２枚の第一板体１と相互に垂直を呈し、しかも任意の３本のサポート柱３は取り囲み、ちょうど直角三角形の頂点を形成する。該各サポート柱３両端にはそれぞれ第一連接板３１を設置し、それぞれ該第一板体１上の第一連接部１１に対応する。しかも該第一連接板３１は該サポート柱３と垂直を呈し、該第一連接板３１上には、該第一連接部１１の２個の第一穿孔１１１に対応し、２個の第二穿孔３１１を開設する。該各サポート柱３はそれぞれ対応し第二連接板３２を設置し、該第二板体２の第二連接部２１に対応する。該第二連接板３２上には該第二連接部２１の２個の第一通孔２１１に対応し２個の第二通孔３２１を開設する。
【００１１】
該サポート柱３の対応し隣接する２本のサポート柱３には、それぞれ定位スライド槽３３を設置し、該定位スライド槽３３は前記第一板体１と垂直を呈し、しかも該各サポート柱３の２個の定位スライド槽３３の延伸線は垂直に交差する。また該サポート柱３表面には若干の滑り止め模様３４を形成する。
該４枚の側面板体４は前記相互に隣接する２本のサポート柱３の間にそれぞれ設置し、しかも該各側面板体４の両側端にはスライド接続部４１をそれぞれ形成し、隣接するサポート柱３の定位スライド槽３３内に対応し、嵌入する。
該若干のネジユニット５は該各第一穿孔１１１と該各第二穿孔３１１にそれぞれ対応し結合、固定し、該各第一通孔２１１と該各第二通孔３２１にそれぞれ対応し結合、固定する。
【００１２】
図１、２、３、４に示すように、該各第一板体１、第二板体２、該各サポート柱３、該各側面板体４はそれぞれ柱状パーツ或いは板状パーツで、立方体ケース構造の最小組成ユニットである。
運搬と収納の便のため、組み立て時には、該各サポート柱３両端の第一連接板３１により該２枚の第一板体１の該各第一連接部１１をそれぞれ接続し、該ネジユニット５により該各第一穿孔１１１と該各第二穿孔３１１を結合固定し、ケースのサポート骨格を形成する。
同時に、該第二板体２は該２枚の第一板体１の間を隔て隔離空間とする隔絶板であるため、該第二板体２の該各第二連接部２１は該各サポート柱３の第二連接板３２とそれぞれ接続し、該ネジユニット５により該各第一通孔２１１と該各第二通孔３２１を結合固定し、該第二板体２を定位する。これにより該２枚の第一板体１の間には、コンピュータCPU及び関連コンピュータパーツを設置可能な２個の空間が形成される。該各側面板体４のスライド接続部４１は、隣接するサポート柱３の定位スライド槽３３内に対応し嵌入し、こうして６面のケース体を形成する。
【００１３】
図５、６に示すように、本考案の第二実施例は直立式のケース構造である。内、２枚の第一板体１は左右向かい合って設置し、該４本のサポート柱３は該２枚の第一板体１間を囲み水平に設置する。該各側面板体４のスライド接続部４１は隣接するサポート柱３の定位スライド槽３３内に対応し嵌入し、同様に６面のケース体を形成する。
【００１４】
上記実施により、本考案は以下の長所を備える。
１．本考案が組成するケースの該各第一板体１、第二板体２、該各サポート柱、該各側面板体はそれぞれ柱状パーツ或いは板状パーツであるため、空間を占める体積が極めて小さく、包装、運搬、倉庫保管作業を行う時に、運送量を大幅に拡大することができ、同時に物流運輸コストを低下させることができる。
２．使用者は必要に応じて、自身で迅速に組み立て、ケースを形成することができ、該第二板体２が隔離する該２枚の第一板体１間の空間を利用し、コンピュータCPU及び関連コンピュータパーツを装置することができる。
３．本考案は該サポート柱３表面に滑り止め模様３４を形成するため、組み立て、分解作業時の取り扱いが便利である。
【図面の簡単な説明】
【００１５】
【図１】本考案の外観立体図である。
【図２】本考案の局部分解図である。
【図３】本考案組み立て作業の第一局部概略図である。
【図４】本考案組み立て作業の第二局部概略図である。
【図５】本考案第二実施例の外観立体図である。
【図６】本考案第二実施例の組み立て概略図である。
【符号の説明】
【００１６】
１  第一板体
１１  第一連接部
１１１  第一穿孔
２  第二板体
２１  第二連接部
２１１  第一通孔
３  サポート柱
３１  第一連接板
３１１  第二穿孔
３２  第二連接板
３２１  第二通孔
３３  定位スライド槽
３４  滑り止め模様
４  側面板体
４１  スライド接続部
５  ネジユニット
【図１】
0003143434.tif 000003
【図２】
0003143434.tif 000004
【図３】
0003143434.tif 000005
【図４】
0003143434.tif 000006
【図５】
0003143434.tif 000007
【図６】
0003143434.tif 000008